【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
コンテンツを記録する記録装置と、前記コンテンツに付加情報を付加するためのユーザ操作を受け付ける操作装置とを有するコンテンツ管理装置であって、
前記記録装置において、記録媒体に記録されている最新のコンテンツデータに付加情報を関連付けて記録する第１の処理を、所定のユーザ操作に応じて実行する処理手段と、
前記記録装置の動作モードがコンテンツを記録するための記録モードへ他の動作モードから遷移してから前記記録装置での該遷移後で最初の記録動作が実行されるまで、前記第１の処理の実行指示のためのユーザ操作を不能にする制御手段と、を備えることを特徴とするコンテンツ管理装置。
【請求項２】
前記記録装置の動作モードがコンテンツを記録するための記録モードへ他の動作モードから遷移したことを判定する判定手段をさらに備えることを特徴とする請求項１に記載のコンテンツ管理装置。
【請求項３】
前記制御手段は、コンテンツを記録するための記録媒体が初期化されてから該記録媒体に最初の記録動作が実行されるまで、前記第１の処理の実行指示のためのユーザ操作を不能にする、ことを特徴とする請求項１または２に記載のコンテンツ管理装置。
【請求項４】
コンテンツを記録するための記録媒体を着脱可能な装着部に記録媒体が装着されているか否かを検出する検出手段を更に備え、
前記制御手段は、前記検出手段が前記装着部に記録媒体が装着されていないことが検出された後、記録媒体が装着されて記録動作が実行されるまで、前記第１の処理の実行指示のためのユーザ操作を不能にする、ことを特徴とする請求項１乃至３のいずれか１項に記載のコンテンツ管理装置。
【請求項５】
前記制御手段は、前記検出手段により前記装着部に記録媒体が装着されていなことを検出した後、前記装着部に記録媒体が装着されていることを検出した場合、その記録媒体が最後にコンテンツの記録を行なった記録媒体である場合には前記第１の処理の実行指示のためのユーザ操作を、前記最初の記録動作の実行を待たずに、可能にすることを特徴とする請求項４に記載のコンテンツ管理装置。
【請求項６】
コンテンツが記録される記録媒体を着脱可能な装着部の蓋の開閉を検出する検出手段を更に備え、
前記制御手段は、前記検出手段により前記蓋が開いていることが検出された後、前記装着部に装着された記録媒体への記録動作が実行されるまで、前記第１の処理の実行指示のためのユーザ操作を不能にする、ことを特徴とする請求項１乃至３のいずれか１項に記載のコンテンツ管理装置。
【請求項７】
複数の記録媒体からコンテンツの記録先とする記録媒体を選択する選択手段を更に備え、
前記制御手段は、前記選択手段により選択された記録媒体が最後にコンテンツの記録を行なった記録媒体であれば前記第１の処理の実行指示のためのユーザ操作を可能にし、前記選択された記録媒体が最後にコンテンツの記録を行なった記録媒体でなければ前記第１の処理の実行指示のためのユーザ操作を不能にする、ことを特徴とする請求項１乃至６のいずれか１項に記載のコンテンツ管理装置。
【請求項８】
前記操作装置は、前記第１の処理の実行を指示するユーザ操作を受け付けるための第１の表示アイテムを表示する機能を有し、
前記制御手段は、前記第１の処理の実行指示のためのユーザ操作を不能にする際に、前記第１の表示アイテムを表示させないか、無効であることを示す表示形態に変更する、ことを特徴とする請求項１乃至７のいずれか１項に記載のコンテンツ管理装置。
【請求項９】
前記操作装置において、前記第１の表示アイテムが無効であることを示す表示形態で表示されている状態で前記第１の表示アイテムが選択された場合、前記第１の処理が実行されないことを示す警告を表示する警告表示手段を更に備える、ことを特徴とする請求項８に記載のコンテンツ管理装置。
【請求項１０】
前記記録装置と前記操作装置は別体で構成され、無線または有線による通信手段により接続され、
前記操作装置は、ユーザ操作に応じて前記第１の処理の実行指示を付加情報とともに前記記録装置に前記通信手段を介して送信することを特徴とする請求項１乃至９のいずれか１項に記載のコンテンツ管理装置。
【請求項１１】
前記コンテンツは、動画、静止画、音のいずれかを含むことを特徴とする請求項１乃至１０のいずれか１項に記載のコンテンツ管理装置。
【請求項１２】
前記他の動作モードとはパワーオフまたは再生モードを含むことを特徴とする請求項１１に記載のコンテンツ管理装置。
【請求項１３】
コンテンツを記録する記録装置と通信が可能な操作装置であって、
ユーザ操作に応じて、前記記録装置で直前に記録されたコンテンツに関連付けて付加情報を記録する第１の処理の実行を、前記記録装置に指示する指示手段と、
前記記録装置からの通知に基づいて、該記録装置がコンテンツを記録するための記録モードへ他の動作モードから遷移してから最初の記録動作が実行されるまでの間の状態にあるかどうかを判定する判定手段と、
前記判定手段により、前記記録装置が前記状態にあると判定された場合に、前記指示手段による前記指示のためのユーザ操作を不能にする制御手段と、を備えることを特徴とする操作装置。
【請求項１４】
操作装置と通信が可能な記録装置であって、
前記操作装置からの実行指示に応じて、直前に記録されたコンテンツに関連付けて付加情報を記録する第１の処理を実行する実行手段と、
他の動作モードからコンテンツを記録するための記録モードへ遷移してから最初の記録動作が実行されるまでの間の状態にあることを前記操作装置に通知する通知手段と、を備えることを特徴とする記録装置。
【請求項１５】
コンテンツを記録する記録装置と、前記コンテンツに付加情報を付加するためのユーザ操作を受け付ける操作装置とを有するコンテンツ管理装置の制御方法であって、
処理手段が、前記記録装置において、記録媒体に記録されている最新のコンテンツデータに付加情報を関連付けて記録する第１の処理を、所定のユーザ操作に応じて実行する処理工程と、
制御手段が、前記記録装置の動作モードがコンテンツを記録するための記録モードへ他の動作モードから遷移してから前記記録装置での該遷移後で最初の記録動作が実行されるまで、前記第１の処理の実行指示のためのユーザ操作を不能にする制御工程と、を有することを特徴とするコンテンツ管理装置の制御方法。
【請求項１６】
コンテンツを記録する記録装置と通信が可能な操作装置の制御方法であって、
指示手段が、ユーザ操作に応じて、前記記録装置で直前に記録されたコンテンツに関連付けて付加情報を記録する第１の処理の実行を、前記記録装置に指示する指示工程と、
判定手段が、前記記録装置からの通知に基づいて、該記録装置がコンテンツを記録するための記録モードへ他の動作モードから遷移してから最初の記録動作が実行されるまでの間の状態にあるかどうかを判定する判定工程と、
制御手段が、前記判定工程により前記記録装置が前記状態にあると判定された場合に、前記指示工程による前記指示のためのユーザ操作を不能にする制御工程と、を有することを特徴とする操作装置の制御方法。
【請求項１７】
操作装置と通信が可能な記録装置の制御方法であって、
実行手段が、前記操作装置からの実行指示に応じて、直前に記録されたコンテンツに関連付けて付加情報記録する第１の処理を実行する実行工程と、
通知手段が、他の動作モードからコンテンツを記録するための記録モードへ遷移してから最初の記録動作が実行されるまでの間の状態にあることを前記操作装置に通知する通知工程と、を有することを特徴とする記録装置の制御方法。
【請求項１８】
コンピュータを、請求項１乃至１２のいずれか１項に記載のコンテンツ管理装置の各手段として機能させるためのプログラム。
【請求項１９】
コンピュータを、請求項１乃至１２のいずれか１項に記載のコンテンツ管理装置の各手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
上記の目的を達成するための本発明の一態様によるコンテンツ管理装置は以下の構成を備える。すなわち、
コンテンツを記録する記録装置と、前記コンテンツに付加情報を付加するためのユーザ操作を受け付ける操作装置とを有するコンテンツ管理装置であって、
前記記録装置において、前記記録媒体に記録されている最新のコンテンツデータに付加情報を関連付けて記録する第１の処理を、所定のユーザ操作に応じて実行する処理手段と、
前記記録装置の動作モードがコンテンツを記録するための記録モードへ他の動作モードから遷移してから前記記録装置での該遷移後で最初の記録動作が実行されるまで、前記第１の処理の実行指示のためのユーザ操作を不能にする制御手段と、を備える。